(57)【要約】【課題】  容易迅速に旅行のスケジュールを作成することができながらも、その作成されたスケジュールに基づいて移動経路を的確かつ迅速に移動することができ、しかも印象の残る旅行にすることができる歴史探訪ガイドシステムを提供する。【解決手段】  史実データのうちの予め設定した特定地域内で起こった複数の史実データを抽出し、年代順に並べ替え、この並び替えられた順序に沿って旅行する旅行スケジュールを作成し、さらに、このスケジュールに基づいて日時及び訪問予定場所が確認可能な地図情報を含む旅行情報をデータとして作成し、通信端末Ｔに入力又は送信する。【選択図】        図１
2005149430.tif 000002
【特許請求の範囲】
【請求項１】
歴史上の出来事が起こった年代データ、それの内容データ、それが起こった場所データなどからなる史実データの複数を記憶する歴史上出来事記憶手段と、前記歴史上出来事記憶手段に記憶されている史実データのうちの予め設定した特定地域内で起こった複数の史実データを抽出し、年代順に並べ替える抽出並べ替え手段と、予め設定された出発地の位置データと前記抽出並べ替え手段にて並べ替えられた複数の史実データのうちの第１番目の史実データの場所データとの間の移動距離及び並べ替えられた史実データの各場所データ間の移動距離並びに最終の史実データの場所データと前記出発地の位置データとの間の移動距離に基づいてそれぞれの移動時間を算出し移動時間データとして記憶する移動時間記憶手段と、それら並べ替えられた史実データの場所データの複数と前記移動時間データの複数と前記出発地を出発する日時データとに基づいて旅行のスケジュールをデータとして作成するスケジュール作成手段と、前記スケジュール作成手段にて作成されたスケジュールデータに基づいて日時及び訪問予定場所が確認可能な地図情報を含む旅行情報をデータとして作成する旅行情報作成手段と、前記旅行情報作成手段にて作成された旅行情報データを通信端末に入力又は送信する旅行情報送信手段とをサーバに備えてなる歴史探訪ガイドシステム。
【請求項２】
歴史上の出来事が起こった年代データ、それの内容データ、それが起こった場所データなどからなる史実データの複数を記憶する歴史上出来事記憶手段と、前記歴史上出来事記憶手段に記憶されている史実データのうちの予め設定した特定地域内で起こった複数の史実データを抽出し、年代順に並べ替える抽出並べ替え手段と、予め設定された出発地の位置データと前記抽出並べ替え手段にて並べ替えられた複数の史実データのうちの第１番目の史実データの場所データとの間の移動距離及び並べ替えられた史実データの各場所データ間の移動距離並びに最終の史実データの場所データと前記出発地の位置データとの間の移動距離に基づいてそれぞれの移動時間を算出し移動時間データとして記憶する移動時間記憶手段と、それら並べ替えられた史実データの場所データの複数と前記移動時間データの複数と前記出発地を出発する日時データとに基づいて旅行のスケジュールをデータとして作成するスケジュール作成手段と、前記スケジュール作成手段にて作成されたスケジュールデータに基づいて日時及び訪問予定場所が確認可能な地図情報を含む旅行情報をデータとして作成する旅行情報作成手段と、前記旅行情報作成手段にて作成された旅行情報データを通信端末に入力又は送信する旅行情報送信手段と、前記通信端末に備えられ該通信端末の位置情報を発信する位置情報発信手段から発信された通信端末の位置情報データを受信する位置情報受信手段と、前記位置情報受信手段によって受信した前記通信端末の位置情報データ及び現在の時間情報データと前記スケジュール作成手段にて作成された訪問予定場所である史実データの場所データ及び該訪問予定場所を訪問する予定時間情報データとがほぼ一致しているか否かを照合する照合手段と、前記照合手段にて照合した結果データを前記サーバから前記通信端末に送信する照合結果送信手段とを前記サーバに備えてなる歴史探訪ガイドシステム。
【請求項３】
前記訪問予定場所に関連する関連情報を音声データ又は音声データと画像データとして記憶する関連情報記憶手段と、前記位置情報受信手段によって受信された前記通信端末の位置情報データと前記スケジュール作成手段にて作成された訪問予定場所である史実データの場所データとがほぼ一致しているか否かを照合する位置情報照合手段と、前記位置情報照合手段からの出力信号に基づいて前記関連情報記憶手段からのデータを前記通信端末に送信するための関連情報送信手段とを前記サーバに備えてなる請求項１又は２記載の歴史探訪ガイドシステム。
【請求項４】
前記サーバには、前記訪問予定場所の近辺にある店の店情報、前記歴史上出来事情報、及び前記関連情報をそれぞれの各情報に対応させて付加される二次元コードと共にデータ化して記憶する各種情報記憶手段と、前記二次元コードデータを前記通信端末に送信する二次元コード送信手段とを備えてなり、
前記通信端末には、前記サーバから送信された二次元コードデータを受信する二次元コード受信手段と、前記二次元コード受信手段によって受信された二次元コードデータから二次元コードを印刷する二次元コード印刷手段と、前記印刷された二次元コードを撮影する二次元コード撮影手段と、前記二次元コード撮影手段によって撮影された二次元コードの画像データを前記サーバに送信する画像送信手段とを備えてなり、
さらに、前記サーバには、前記画像送信手段から送信された二次元コードの画像データを受信する画像受信手段と、前記画像受信手段によって受信された二次元コードの画像データを解析して該サーバに記憶されている同一の二次元コードデータを検索する二次元コード解析手段と、前記二次元コード解析手段によって検索された二次元コードデータに対応する前記店情報又は歴史上出来事情報若しくは関連情報のいずれかの観光情報データを該通信端末に送信する観光情報送信手段を備えてなる請求項３記載の歴史探訪ガイドシステム。
【発明の詳細な説明】
【技術分野】
【０００１】
本発明は、歴史上の出来事が起こった場所を訪問するときに便利に使用することができるガイドシステムに係わり、さらに詳しくは、歴史上の出来事が起こった場所を、その出来事が起こった年代順にしたがって訪問するためのスケジュールを作成し、加えて訪問中に各種の情報を通信端末から入手可能とする歴史探訪ガイドシステムに関するものである。
【背景技術】
【０００２】
従来、旅行のスケジュールを作成するときは、ガイドブック、時刻表、地図などの資料を参考にして旅行者自身がそのスケジュールを作成し、さらには旅行先の詳細な情報を調べて旅行を行っていた。また、旅行会社などが作成した複数の旅行プランの中から好みの旅行プランを選択し、その選択した旅行プランに基づいて旅行を行っていた。
【０００３】
上記前者の場合には、膨大な資料の中から旅行する場所（訪問場所）を特定するだけでなく、出発地から訪問場所までの距離を地図から測定し、到着時間を予測し、それらの情報（データ）を基にしてスケジュールを作成しなければならず、多くの時間と手間がかかるものであった。また、上記後者の場合には、予め作成された旅行プランの中から、自分の気に入ったプランを見出すことができないだけでなく、万人受けするありふれた旅行プランが多いため、印象の残る旅行を行うことができないものであった。
これらの不具合を解消するものとして、コンピュータに施設名のデータ及び該施設名が存在する地域を特定するデータ並びに施設の種別を特定するデータ及び該施設の最寄地点を特定するデータからなる施設データを予め記憶させておき、旅行者（旅行予定者）が訪問する施設（訪問先）や、訪問先での滞在時間などのデータを入力すると、コンピュータが訪問先への到着時間や該訪問先からの出発時間及び移動経路などが自動的に演算され、旅行者本人が容易にスケジュールを作成できるようにしている（例えば、特許文献１参照。）。
【特許文献１】特開平１１−２３２３３４号公報
【発明の開示】
【発明が解決しようとする課題】
【０００４】
上記特許文献１によれば、旅行スケジュールを作成する場合には、多くの施設名の中から訪問したい訪問先（施設名）を選択する他に、訪問先での滞在時間や訪問先からの出発予定時刻などのスケジュールを一々設定しなければならないだけでなく、複数の施設名を選択する場合には、トータルの旅行時間を考慮しながら施設名を選択しなければならず、煩雑で多くの時間がかかる作業になっていた。また、時間と施設名などが入ったスケジュール表を確認することができるものの、地図情報がないため、旅行先の情報を十分に得ることができないこともあり、充実した旅行を行うことができない場合もあった。
また、施設名で選択して旅行スケジュールを作成しているため、印象の残る旅行にすることができないものであった。
【０００５】
本発明が前述の状況に鑑み、解決しようとするところは、容易迅速に旅行のスケジュールを作成することができながらも、その作成されたスケジュールに基づいて移動経路を的確かつ迅速に移動することができ、しかも印象の残る旅行にすることができる歴史探訪ガイドシステムを提供する点にある。
【課題を解決するための手段】
【０００６】
前記目的を達成するために、本願発明の歴史探訪ガイドシステムは、歴史上の出来事が起こった年代データ、それの内容データ、それが起こった場所データなどからなる史実データの複数を記憶する歴史上出来事記憶手段と、前記歴史上出来事記憶手段に記憶されている史実データのうちの予め設定した特定地域内で起こった複数の史実データを抽出し、年代順に並べ替える抽出並べ替え手段と、予め設定された出発地の位置データと前記抽出並べ替え手段にて並べ替えられた複数の史実データのうちの第１番目の史実データの場所データとの間の移動距離及び並べ替えられた史実データの各場所データ間の移動距離並びに最終の史実データの場所データと前記出発地の位置データとの間の移動距離に基づいてそれぞれの移動時間を算出し移動時間データとして記憶する移動時間記憶手段と、それら並べ替えられた史実データの場所データの複数と前記移動時間データの複数と前記出発地を出発する日時データとに基づいて旅行のスケジュールをデータとして作成するスケジュール作成手段と、前記スケジュール作成手段にて作成されたスケジュールデータに基づいて日時及び訪問予定場所が確認可能な地図情報を含む旅行情報をデータとして作成する旅行情報作成手段と、前記旅行情報作成手段にて作成された旅行情報データを通信端末に入力又は送信する旅行情報送信手段とをサーバに備えている。
【０００７】
したがって、歴史上に起こった複数の出来事の史実データの抽出と、それら出来事の史実データを年代順に並べ替え、並べ替えられた順序に従って、旅行のスケジュールを自動的に作成するので、旅行者は繁雑な作業をすることなく旅行のスケジュールを作成できる。また、そのスケジュールは、歴史的な出来事の順序に沿ったものにすることができるため、例えば、平安時代の旅、幕末の旅などのように、歴史のテーマに沿った旅行を行うことができるようになる。
また、作成されたスケジュールデータとその訪問予定場所の地図データを携帯電話やノートパソコンなどの通信端末に送信又は入力（書き込み）することによって、スケジュール及び地図を携帯電話などの通信端末を持ち運ぶだけで訪問予定場所をいつでも迅速に地図の情報を見て確認することができる。
【０００８】
また、本願発明の歴史探訪ガイドシステムは、歴史上の出来事が起こった年代データ、それの内容データ、それが起こった場所データなどからなる史実データの複数を記憶する歴史上出来事記憶手段と、前記歴史上出来事記憶手段に記憶されている史実データのうちの予め設定した特定地域内で起こった複数の史実データを抽出し、年代順に並べ替える抽出並べ替え手段と、予め設定された出発地の位置データと前記抽出並べ替え手段にて並べ替えられた複数の史実データのうちの第１番目の史実データの場所データとの間の移動距離及び並べ替えられた史実データの各場所データ間の移動距離並びに最終の史実データの場所データと前記出発地の位置データとの間の移動距離に基づいてそれぞれの移動時間を算出し移動時間データとして記憶する移動時間記憶手段と、それら並べ替えられた史実データの場所データの複数と前記移動時間データの複数と前記出発地を出発する日時データとに基づいて旅行のスケジュールをデータとして作成するスケジュール作成手段と、前記スケジュール作成手段にて作成されたスケジュールデータに基づいて日時及び訪問予定場所が確認可能な地図情報を含む旅行情報をデータとして作成する旅行情報作成手段と、前記旅行情報作成手段にて作成された旅行情報データを通信端末に入力又は送信する旅行情報送信手段と、前記通信端末に備えられ該通信端末の位置情報を発信する位置情報発信手段から発信された通信端末の位置情報データを受信する位置情報受信手段と、前記位置情報受信手段によって受信した前記通信端末の位置情報データ及び現在の時間情報データと前記スケジュール作成手段にて作成された訪問予定場所である史実データの場所データ及び該訪問予定場所を訪問する予定時間情報データとがほぼ一致しているか否かを照合する照合手段と、前記照合手段にて照合した結果データを前記サーバから前記通信端末に送信する照合結果送信手段とを前記サーバに備えてもよい。
【０００９】
したがって、歴史上に起こった複数の出来事の史実データの抽出と、それら出来事の史実データを年代順に並べ替え、並べ替えられた順序に従って、旅行のスケジュールを自動的に作成するので、旅行者は繁雑な作業をすることなく旅行のスケジュールを作成できる。また、そのスケジュールは、歴史的な出来事の順序に沿ったものにすることができるため、例えば、平安時代の旅、幕末の旅などのように、歴史のテーマに沿った旅行を行うことができるようになる。
また、作成されたスケジュールデータとその訪問予定場所の地図データを携帯電話やノートパソコンなどの通信端末に送信又は入力（書き込み）することによって、スケジュール及び地図を携帯電話などの通信端末を持ち運ぶだけで訪問予定場所をいつでも迅速に地図の情報を見て確認することができる。
さらに、通信端末が自身の位置情報データを送信し、この位置情報データに基づいてサーバは、旅行者の現在の位置及び時間と訪問予定場所及び訪問予定時刻とがそれぞれほぼ一致するかを照合するので、旅行者に対して、予定スケジュールに遅れていないかなどをサーバが検知し、旅行者にそれらを報知することができる。
【００１０】
また、前記訪問予定場所に関連する関連情報を音声データ又は音声データと画像データとして記憶する関連情報記憶手段と、前記位置情報受信手段によって受信された前記通信端末の位置情報データと前記スケジュール作成手段にて作成された訪問予定場所である史実データの場所データとがほぼ一致しているか否かを照合する位置情報照合手段と、前記位置情報照合手段からの出力信号に基づいて前記関連情報記憶手段からのデータを前記通信端末に送信するための関連情報送信手段とを前記サーバに備えるようにしてもよい。
【００１１】
また、前記サーバには、前記訪問予定場所の近辺にある店の店情報、前記歴史上出来事情報、及び前記関連情報をそれぞれの各情報に対応させて付加される二次元コードと共にデータ化して記憶する各種情報記憶手段と、前記二次元コードデータを前記通信端末に送信する二次元コード送信手段とを備えてなり、前記通信端末には、前記サーバから送信された二次元コードデータを受信する二次元コード受信手段と、前記二次元コード受信手段によって受信された二次元コードデータから二次元コードを印刷する二次元コード印刷手段と、前記印刷された二次元コードを撮影する二次元コード撮影手段と、前記二次元コード撮影手段によって撮影された二次元コードの画像データを前記サーバに送信する画像送信手段とを備えてなり、さらに、前記サーバには、前記画像送信手段から送信された二次元コードの画像データを受信する画像受信手段と、前記画像受信手段によって受信された二次元コードの画像データを解析して該サーバに記憶されている同一の二次元コードデータを検索する二次元コード解析手段と、前記二次元コード解析手段によって検索された二次元コードデータに対応する前記店情報又は歴史上出来事情報若しくは関連情報のいずれかの観光情報データを該通信端末に送信する観光情報送信手段を備えてなる歴史探訪ガイドシステムとしてもよい。
【発明の効果】
【００１２】
本願発明に係る歴史探訪ガイドシステムは、コンピュータによって歴史上の出来事の史実データの抽出と、その抽出された出来事の史実データを年代順に並べ替え、並べ替えられた順序に従って訪問予定場所を設定するスケジュールをデータとして自動的に作成するので、旅行者は繁雑な作業をすることなくスケジュールを作成することができる。また、作成されたスケジュールに基づいて、年代順に沿って訪問することができるので、歴史のテーマに沿った旅行を行うことができ、今まで以上に印象に残る感動的な旅行を行うことができるようになる。
また、作成されたスケジュールデータと、その訪問予定場所の地図情報を通信端末に送信又は入力することによって、訪問予定場所の地図を自動的に得ることができるだけでなく、それらの送信されたデータ又は入力（書き込み）により記録させた通信端末を持ち歩くことによって、いつでもスケジュールを確認することができながらも、スケジュールに対応した地図を見ながら移動することができるから、訪問先への移動経路を間違えることなく迅速に移動することができるだけでなく、時間に余裕のある場合には他の場所に立ち寄ることもできるガイドシステムを得ることができる。
【００１３】
また、通信端末が自身の位置情報を送信し、この位置情報に基づいてサーバは、旅行者の現在の位置及び時間と訪問予定場所及び訪問予定時刻とがそれぞれほぼ一致するかを照合するので、旅行者に対して、予定スケジュールに遅れていないかなどをサーバが検知し、旅行者に通知することができるから、旅行者は安心して旅行に没頭することができる便利なガイドシステムとすることかできる。
【００１４】
また、訪問予定場所の位置情報と現在の通信端末の位置情報とが一致するか否かを照合して、一致する場合には訪問場所に関する情報を音声や画像として通信端末に送信するので、旅行者は訪問場所に関する情報を容易に得られ、且つガイドブックなどを持参する必要性もなく、しかも旅行者に強烈な印象を与えることもできる。
【００１５】
また、店情報、歴史上出来事情報、関連情報などの情報と、二次元コードを対応させてサーバに記憶させておくことによって、旅行者は印刷された二次元コードを画像として送信すると、該二次元コードに対応した情報を、旅行前や旅行中に通信端末にて利用することができ、分厚いガイドブックなどを持ち歩くことが不要であり、旅行を更に没頭して楽しむことができる。
【発明を実施するための最良の形態】
【００１６】
本願発明の歴史探訪ガイドシステムは、図１に示し、サーバＳと通信端末Ｔとが、例えば、インターネットや携帯電話通信網（専用回線でもよい）などの通信手段を介して通信可能となっている。そして、単又は複数のコンピュータからなるサーバＳは、歴史上出来事記憶手段１、抽出並べ替え手段２、移動時間記憶手段３、スケジュール作成手段４、旅行情報作成手段５、旅行情報送信手段６、位置情報受信手段８、照合手段９、照合結果送信手段１０、関連情報記憶手段１１、位置情報照合手段１２、関連情報送信手段１３、各種情報記憶手段１４、二次元コード送信手段１５、画像受信手段２０、二次元コード解析手段２１、観光情報送信手段２２を備えている。また、携帯電話機、パーソナルコンピュータ、携帯端末（ＰＤＡ）などの通信端末Ｔは、位置情報発信手段７、二次元コード受信手段１６、二次元コード印刷手段１７、二次元コード撮影手段１８、画像送信手段１９を備えている。
【００１７】
前記サーバＳに備えられる前記歴史上出来事記憶手段１は、例えば、寺院、神社などの建立にまつわる出来事のデータ（合戦などの出来事のデータや過去に起こった大きな災害などの出来事のデータでもよい）等の過去に起こった出来事の内容データ、それらの出来事が起こった年代（年月日）データ、及び該出来事が起こった場所などの場所データからなる史実データの複数を記憶する手段である。前記抽出並べ替え手段２は、前記歴史上出来事記憶手段１に記憶されている複数の出来事の史実データの中から予め設定した特定の地域で起こった複数の出来事の史実データを、抽出して、年代順に並べ替える手段である。この抽出並べ替え手段２は、前記通信端末Ｔから送信された前記歴史上の出来事の地域を特定する特定地域データに基づいて前記歴史上出来事のデータを年代順に並べ替えることもできる。前記移動時間記憶手段３は、出発地の位置データと前記抽出並べ替え手段２にて並べ替えられた複数の出来事の史実データのうちの第１番目の史実データの場所データ（出来事が起こった実際の場所）との間の移動距離及び並べ替えられた史実データの各場所データ間の移動距離並びに最終の史実データの場所データ（出来事が起こった場所）と前記出発地データ若しくは予め定めた終着地データとの間の移動距離に基づいてそれぞれの移動時間を算出し移動時間データとして記憶する手段である。前記移動距離は、前記位置データ、場所データを基にして予め決められた演算式に入れて演算したときの演算結果をデータとして取得することになる。なお、電車やバスなどの公共交通機関の時刻表などの情報、徒歩や車で移動したときの平均的な移動速度などの情報を、前記移動時間記憶手段３に予めデータとして記憶させておき、公共交通機関を利用したときの移動時間、徒歩や車で移動したときの移動時間などを、該移動時間記憶手段３に備えている演算部（演算式にデータを入れて自動的に演算する演算手段）により算出可能としてもよい。また、スケジュール作成手段４は、前記複数のデータの出来事が起こった実際の場所を前記並べ替えた順序及び前記移動時間に基づいて、前記出発地を出発する日時を設定して旅行のスケジュールを作成する手段であり、例えば図２に示すように、出発場所からの出発時刻、そして最初の訪問場所（第１番目のデータの出来事が起こった場所）への移動時間及び到着時刻、最初の訪問場所の出発時刻や、途中の訪問場所の到着時刻及び出発時刻、さらにはそれらの間の移動時間、最終の訪問場所から元の出発場所（最終到着場所）への移動時間や、元の場所への到着時刻を設定する。前記旅行情報作成手段５は、前記スケジュール作成手段４にて作成されたスケジュールデータに基づいて日時及び訪問予定場所（並べ替えられた複数の史実データの場所データから得られる場所のこと）が確認可能な地図情報を含む旅行情報データを作成する手段であり、図２に示すようなスケジュール表２４を作成したり、図３に示すような地図データを作成することになる。前記旅行情報送信手段６は、前記旅行情報作成手段５にて作成された旅行情報、つまり図２に示したスケジュール表２４及び図３に示した地図情報を前記通信端末Ｔに送信したり、記録媒体に前記旅行情報を記録させて、該記録媒体を前記通信端末Ｔに読み取らせて前記旅行情報を入力させる（書き込む又は記憶させる）手段である。
【００１８】
また、前記位置情報発信手段７は、ＧＰＳ信号などを受信して通信端末Ｔ自身の位置を演算して、その位置情報データをサーバＳに自動的に送信する手段であり、携帯電話機などの旅行者が携帯する通信端末Ｔに備えられる。旅行者が通信端末Ｔを携帯して移動を行うと、前記位置情報発信手段７によって旅行者が現在どの位置にいるかが分かるようになる。前記位置情報受信手段８は、前記位置情報発信手段７から発信（送信）された位置情報データを受信する手段である。前記照合手段９は、前記位置情報受信手段８が受信した前記通信端末Ｔの位置情報データ及び現在の時間情報データと前記スケジュール作成手段４にて作成された訪問予定場所の位置情報（史実データの場所データ）及び該訪問予定場所を訪問する予定時間情報データとがほぼ一致しているか否かを照合する手段である。前記照合結果送信手段１０は前記照合手段９によって照合された結果を前記通信端末Ｔにデータ化して送信する手段である。そして、通信端末Ｔは、前記照合結果送信手段１０からの照合結果を受信すると、その結果データを該通信端末Ｔの使用者（旅行者）に報知する。具体的には、前記照合結果送信手段１０は、予め登録しておいた通信端末Ｔへの電子メールアドレスをサーバＳにデータとして記憶しておき、この電子メールアドレスに対して電子メールをサーバＳから自動的に送信して照合結果を報知したりする。報知するタイミングとしては、例えば、訪問場所への到着予定時刻に訪問予定の位置に対して移動経路の手前側に位置している現在の位置が予め設定された設定距離よりも大きな距離になっている場合には、「少し遅れています。もう少し速く歩きましょう。」という内容の電子メールや音声メッセージを送信したり、訪問場所の出発予定時刻になった場合には、「出発予定時刻になりました、つぎの地点に向かってください。」という内容の電子メールや音声メッセージを送信するようにしてもよい。
【００１９】
また、前記関連情報記憶手段１１は、スケジュールに基づいて訪問する訪問予定場所に関する関連情報を音声データ又は音声データと画像データとして記憶する手段である。本願発明における関連情報とは、訪問予定場所の出来事情報（史実データ）、建築方式（例えば入母屋造り、切妻造り、高床式など）、その訪問予定場所に由来する伝説や民話、訪問予定場所で行われるイベントなどの訪問場所に関する情報を示している。前記位置情報照合手段１２は、前記位置情報受信手段８によって受信された前記通信端末Ｔの位置情報データと前記スケジュール作成手段４にて作成された訪問予定場所の位置情報データとがほぼ一致しているか否かを照合する手段である。尚、前記位置情報受信手段８では、通信端末Ｔの位置情報データの他に現在の時間情報データも受信できることから、前記同様に現在の時間と予定時間とを照合してもよい。前記関連情報送信手段１３は、前記位置情報照合手段１２からの出力信号に基づいて前記関連情報記憶手段１１からの関連情報データを前記通信端末Ｔに送信するため手段である。これによって、サーバＳは、通信端末Ｔの位置情報データに基づいて旅行者が現在訪問している場所や移動している場所に関する関連情報をデータ化して送信することができるようになる。
【００２０】
また、前記各種情報記憶手段１４は、前記訪問予定場所の近辺にある飲食店、みやげ物店、その他の店情報、前記歴史上出来事情報（歴史上の出来事の情報（史実データのこと））、及び前記関連情報をそれぞれの各情報に対応させて付加される二次元コードと共にデータとして記憶する手段である。二次元コード送信手段１５は、前記各種情報記憶手段１４に記憶されている各種情報に対応している二次元コードを通信端末Ｔにデータ化して送信する手段である。前記二次元コード受信手段１６は、前記二次元コード送信手段１５から送信された二次元コードデータを受信する手段である。前記二次元コード印刷手段１７は、前記二次元コード受信手段１６によって受信した二次元コードデータから二次元コードを、図４に示すように、紙などに印刷する手段であり、通信端末Ｔに備えられた若しくは制御可能なプリンタなどである。前記二次元コード撮影手段１８は、前記二次元コード印刷手段１７によって印刷された二次元コード２６を画像として撮影するカメラなどの手段であり、この二次元コード撮影手段１８を備えた通信端末Ｔの具体例としては、カメラ機能付き携帯電話機などの撮影機能と通信機能の双方を備えた通信端末である。また、前記通信端末Ｔによって撮影された二次元コード２６の画像は、前記画像送信手段１９によってサーバＳにデータ化して送信される。前記画像受信手段２０は、前記画像送信手段１９から送信された二次元コード２６の画像データを受信する手段である。前記二次元コード解析手段２１は、前記二次元コード受信手段１６が受信した二次元コード２６の画像データから、二次元コード２６のみを自動的に検出して該二次元コード２６を解析して、該二次元コード２６に記憶されている情報を読み取り、この読み取った情報に基づいて、前記各種情報記憶手段１４に記憶されている同一の二次元コードを検索する手段である。また、前記観光情報送信手段２２は、前記二次元コード解析手段２１によって解析された二次元コードに対応する、前記店情報、前記歴史上出来事情報、前記関連情報の何れかの観光情報を前記二次元コード２６の画像データを送信した通信端末Ｔにデータ化して送信する手段である。
【実施例１】
【００２１】
まず、旅行者（又は旅行業者などの旅行作成作業者でもよい）が通信端末Ｔを操作して旅行のスケジュールを作成する前に、歴史上の出来事（内容データ）、該出来事が起こった年代（年月日など）データ、該出来事が起こった場所データなどからなる史実データを、サーバＳの前記歴史上出来事記憶手段１に、予め手入力して記憶させておくことになる。
【００２２】
そして、旅行者（旅行予定者）は、通信端末Ｔ（例えば、パーソナルコンピュータ）を操作して、サーバＳと通信を行う。旅行者が旅行をしたいある特定の地域を選択すると、前記抽出並べ替え手段２が、該特定地域で起こった出来事のデータを前記歴史上出来事記憶手段１に記憶されている情報の中から抽出し、年代順に並べ替える。選択する地域としては、「京都」、「東京」、「近畿」など都道府県、及びそれらを複合した地域であってもよいし、「△市○町」などのより小さな地域であってもよい。また、前記抽出並べ替え手段２によって並べ替えられた複数の出来事のデータが多い場合には、特定地域の他に前記旅行者が「平安時代」、「幕末」などの時代などを指定することによって、再度該抽出並べ替え手段２が、複数の出来事のデータの抽出及び並べ替えを行って歴史上の出来事のデータの絞り込みを行ってもよい。
【００２３】
さらに、旅行者は通信端末Ｔを操作して、旅行の出発地（例えば、図３のＡ地点）の情報をサーバＳに入力する。そして、前記移動時間記憶手段３は、前記出発地、及び前記のように抽出して並べ替えられた複数の出来事の史実データに基づき、該出発地の位置データと第１番目の史実データの場所データ（出来事が起こった実際の場所（例えば、図３のＢ地点））との間の移動距離に基づいて移動時間の算出及び記憶を行う。同様に、第１番目の史実データの場所データ（出来事が起こった実際の場所（図３のＢ地点））と第２番目の史実データの場所データ（出来事が起こった実際の場所（図３のＣ地点））との間の距離、第３番目の史実データの場所データ（出来事が起こった実際の場所（図３のＣ地点））と第４番目の史実データの場所データ（出来事が起こった実際の場所（図３のＤ地点））との間の距離、第４番目の史実データの場所データ（出来事が起こった実際の場所（図３のＤ地点））と出発地（図３のＡ地点）の位置データとの間の距離をそれぞれ予め記憶されている算出式に基づいて算出した後、前記各移動距離から予め記憶されている算出式に基づいて各移動時間を算出して、サーバＳに記憶する。本実施例では、訪問予定場所が３箇所であるがこれに限定されるものではない。なお、前記移動時間記憶手段３に予めバス、電車等の公共交通機関の時刻表の情報や、徒歩や車で移動したときの平均移動速度の情報などを予めデータとして記憶させている方がよい。
【００２４】
また、スケジュール作成手段４は、前記移動時間記憶手段３によって算出し、記憶された各地点間の移動時間データと、前記旅行者によって指定された前記出発地を出発する日時データに基づいて、図２に示すように、該出発地（Ａ地点）を出発して、前記各場所データ（各出来事が起こった場所（Ｂ，Ｃ，Ｄ地点））を訪問し、出発地（Ａ地点）に戻るまでのスケジュールデータを作成する。そして、旅行情報作成手段５は、該スケジュールデータに基づいて、図２で示す、スケジュール表及び図３で示すような、訪問場所が確認可能な地図上に場所データの位置（Ｂ，Ｃ，Ｄ地点）が印された旅行情報を作成し、通信端末Ｔに送信する。この旅行情報データを受信した通信端末Ｔは、図３で示すように、旅行予定場所の地図を示した地図画面２３をディスプレイに表示したり、図２で示すように、スケジュールを示したスケジュール画面２４を表示する。また、該旅行情報データを携帯可能な通信端末Ｔに記憶させて、旅行中に通信端末Ｔに記憶させた旅行情報を確認できるようにしてもよい。
したがって、コンピュータによって旅行のスケジュールを作成することができ、旅行者は出発地と地域を選択するだけで繁雑な作業をする必要がなくなる。また、作成されたスケジュールは、年代順に沿って訪問することができるので、歴史のテーマに沿った旅行を行うことができ、今まで以上に印象の残る感動的な旅行を行うことができるようになる。
また、作成されたスケジュールと、その訪問先の地図の情報を通信端末に送信するので、訪問先の地図も自動的に得ることができるだけでなく、それらの送信されたデータを記録させた通信端末を持ち歩くことによって、いつでもスケジュールや地図などの必要なデータを参考にして、歴史の探訪を行える。
【００２５】
また、前記位置情報発信手段７を備えた通信端末Ｔを携帯して旅行を行う場合には、通信端末Ｔから送信された位置情報データをサーバＳが受信する。そして、該位置情報データと、該位置情報データを受信した時間データと、前記スケジュール作成手段４にて作成された訪問予定場所の位置情報データ及び該訪問予定場所を訪問する予定時間情報データとがほぼ一致しているか否かを照合し、予定に沿って旅行しているか、又は予定より遅れているか、若しくは予定より早く旅行しているかなどの照合結果をデータ化して電子メール又は音声信号などで通信端末Ｔに送信し、旅行者に遅れなどを知らせるようにする。
【００２６】
なお、前記関連情報記憶手段１１に、訪問予定場所の関連情報を音声データや画像データにて予め記憶させた場合、前記通信端末Ｔから送信された位置情報データに基づき、該位置情報データに基づく通信端末Ｔの位置が、訪問予定場所の場所データと一致した場合、該訪問予定場所に関する関連情報データを通信端末Ｔに送信し、旅行者に情報を音声や画像あるいはそれら両方により提供できるようにしてもよい。例えば、旅行者が訪問予定場所Ｂに到着した場合、この寺院に関する情報などを通信端末Ｔにデータ化して送信する。このように、サーバＳが通信端末Ｔの位置情報データに基づいて、訪問予定場所の関連情報データを送信するので、旅行者はガイドブックなどを持つことなく、その場で欲しい情報を容易に取得することができる。
【００２７】
また、前記店情報や歴史上出来事情報（歴史上の出来事の情報（史実データのこと））、関連情報などの各情報と、この各情報に対応させた二次元コード２６を予め前記各種情報記憶手段１４にデータ化して記憶させて、該二次元コードを前記旅行情報と共に、通信端末Ｔに送信してもよい。
また、図４で示すように、通信端末Ｔは、送信された二次元コードを紙などのシート２５に印刷させてもよい。このシート２５には、前記二次元コード２６（２６ａ〜２６ｅ）を印刷している。そして、該シート２５に印刷された二次元コード２６ａは、訪問場所Ｃに対応するものであり、訪問場所Ｃの画像表示２７ａの右下部分に備えられている。また、訪問場所Ｃの右横には、訪問場所Ｄの画像を表示する画像表示２７ｂと、二次元コード２６ｂが印刷されている。
また、画像表示２７ａ、２７ｂの下方には、旅行先の天気（天気予報）の情報に対応した二次元コード２６ｃ、前記店情報の中からみやげ物店の情報に対応した二次元コード２６ｄ、前記店情報の中から飲食店の情報に対応した二次元コード２６ｅがそれぞれ印刷されている。
【００２８】
そして、旅行者は、旅行前や旅行中に前記二次元コードを撮影し、サーバＳに送信すると、サーバＳは送信された二次元コードの部分だけを画像データとして自動的に抽出し、この抽出した二次元コードの画像データを解析する。そして、サーバＳは、前記解析した二次元コードに対応した店情報、歴史上出来事情報（歴史上の出来事の情報（史実データのこと））、関連情報を通信端末Ｔにデータ化して送信して画面上に表示したり、音声にて情報を流すことができる。なお、旅行を行う前から各訪問場所の情報を利用することもできる。
【図面の簡単な説明】
【００２９】
【図１】歴史探訪ガイドシステムの概要を示したブロック図である。
【図２】スケジュール作成手段によって作成されたスケジュールの説明図である。
【図３】訪問予定場所が確認できる地図の説明図である。
【図４】二次元コードを印刷したシートの説明図である。
【符号の説明】
【００３０】
１  歴史上出来事記憶手段
２  抽出並べ替え手段
３  移動時間記憶手段
４  スケジュール作成手段
５  旅行情報作成手段
６  旅行情報送信手段
７  位置情報発信手段
８  位置情報受信手段
９  照合手段
１０  照合結果送信手段
１１  関連情報記憶手段
１２  位置情報照合手段
１３  関連情報送信手段
１４  各種情報記憶手段
１５  二次元コード送信手段
１６  二次元コード受信手段
１７  二次元コード印刷手段
１８  二次元コード撮影手段
１９  画像送信手段
２０  画像受信手段
２１  二次元コード解析手段
２２  観光情報送信手段
２３  地図画面
２４  スケジュール画面（スケジュール表）
２５  シート
２６  二次元コード
２７  画像表示
Ａ，Ｂ，Ｃ，Ｄ  訪問場所（訪問予定場所）
Ｓ  サーバ
Ｔ  通信端末
【図１】
2005149430.tif 000003
【図２】
2005149430.tif 000004
【図３】
2005149430.tif 000005
【図４】
2005149430.tif 000006